(57)【要約】【課題】空気調和が適正に行われないのを防止すると共に、空気調和機の安全性及び信頼性を向上させる。【解決手段】初回運転における制限値としては、液側閉鎖弁の開け忘れ対応として、圧縮機の運転周波数の上限値と、圧縮機の運転周波数の制限が行われる第１所定時間とが設定されており、ガス側閉鎖弁の開け忘れ対応として、圧縮機の入力電流値の上限値と、圧縮機の入力電流値の制限が行われる第２所定時間とが設定されている。従って、据え付け後に最初に行われる初回運転の起動時においては、圧縮機の運転周波数が通常の起動時よりも小さくなるように圧縮機運転開始時から所定時間が経過するまで制限される。【選択図】図３
2008185321.tif 000002
【特許請求の範囲】
【請求項１】
室内機（１）と、圧縮機（５）を有する室外機（３）と、前記室内機（１）と前記室外機（３）とを接続する接続配管（８、９）とを備えた空気調和機（１０）であって、
据え付け後に最初に行われる初回運転の起動時においては、前記圧縮機（５）の運転周波数が圧縮機運転開始時から所定時間が経過するまで前記初回運転以外の場合よりも小さくなるように制限されることを特徴とする空気調和機（１０）。
【請求項２】
前記初回運転が行われたか否かを示す情報が記憶されており、
前記情報が前記初回運転が行われていないことを示す場合に限って、前記圧縮機（５）の運転周波数が圧縮機運転開始時から所定時間が経過するまで前記初回運転以外の場合よりも小さくなるように制限されることを特徴とする請求項１に記載の空気調和機（１０）。
【請求項３】
前記圧縮機（５）の起動後に冷媒回路において異常が発生した場合には前記圧縮機（５）が停止されるものであって、
前記情報が前記初回運転が行われていないことを示す状態において前記圧縮機（５）が圧縮機運転開始時から所定時間が経過するまで停止しなかった場合には、前記情報が前記初回運転が行われたことを示すように変更されることを特徴とする請求項２に記載の空気調和機（１０）。
【請求項４】
前記情報が前記初回運転が行われたことを示す状態において前記室外機（３）に冷媒を回収するための冷媒回収運転が行われた場合には、前記情報が前記初回運転が行われていないことを示すように変更されることを特徴とする請求項２または３に記載の空気調和機（１０）。
【請求項５】
予め設定された室内温度の目標温度及び前記室内機（１）の周辺温度に基づいて前記圧縮機（５）の運転周波数が制御されるものであって、
前記目標温度及び前記室内機（１）の周辺温度に基づいて導出される前記圧縮機（５）の必要周波数が圧縮機運転開始時から所定時間が経過するまでの周波数よりも大きい場合には、圧縮機運転開始時から所定時間が経過した後で、前記必要周波数に近づくように前記圧縮機（５）の運転周波数が制御されることを特徴とする請求項１〜４のいずれか１項に記載の空気調和機（１０）。
【発明の詳細な説明】
【技術分野】
【０００１】
本発明は、室内機と室外機とが接続配管により接続された空気調和機に関するものである。
【背景技術】
【０００２】
セパレートタイプの空気調和機の据え付けが行われる際には、まず、冷媒が封入された状態の室外機と室内機とが接続配管により接続された後で、室内機の室内熱交換器及び接続配管内の真空引きが行われる。そして、真空引きが完了すると、室外機の閉鎖弁を開けることで、室外機内の冷媒が接続配管及び室内機の室内熱交換器内に放出される。ここで、上記の据え付け時に、作業者が室外機の複数の閉鎖弁の一部を開け忘れた場合には、空気調和を適正に行うことができないと共に、例えば冷媒回路内の圧力が非常に高くなる等により空気調和機の安全性及び信頼性が低下することがある。そこで、室外機内の冷媒配管に圧力スイッチを配置し、冷媒配管内の圧力が高くなったことを検出することで、閉鎖弁の開け忘れを検知する方法がある（例えば、特許文献１参照）。
【特許文献１】特開２００１−２８０７１６号公報
【発明の開示】
【発明が解決しようとする課題】
【０００３】
しかしながら、室外機の小型化が図られる状況においては、室外機内の冷媒配管に圧力スイッチを配置するのは構造的に困難であることが多い。また、圧力スイッチを追加することで空気調和機の製造コストが増大することになる。
【０００４】
そこで、本発明の主な目的は、空気調和が適正に行われないのを防止すると共に、安全性及び信頼性を向上させることができる空気調和機を提供することである。
【課題を解決するための手段】
【０００５】
第１の発明に係る空気調和機は、室内機と、圧縮機を有する室外機と、前記室内機と前記室外機とを接続する接続配管とを備えた空気調和機であって、据え付け後に最初に行われる初回運転の起動時においては、前記圧縮機の運転周波数が圧縮機運転開始時から所定時間が経過するまで前記初回運転以外の場合よりも小さくなるように制限されることを特徴としている。
【０００６】
この空気調和機では、据え付け後に最初に行われる初回運転の起動時においては、圧縮機の運転周波数が圧縮機運転開始時から所定時間が経過するまで通常の起動時よりも小さくなるように制限されるので、その間に、作業者は空気調和が適正に行われていないことに気付くことができると共に、室外機の閉鎖弁の開け忘れ等の不具合があることを検知することができる。また、初回運転時は通常時よりも小さい周波数で圧縮機が起動されるので、冷媒回路内の圧力が急激に上昇するのが抑制される。従って、空気調和が適正に行われないのを防止すると共に、冷媒配管内の圧力が非常に高くなる前に圧縮機を停止させる等の処置が可能となり、空気調和機の安全性及び信頼性を向上させることができる。
【０００７】
第２の発明に係る空気調和機は、第１の発明に係る空気調和機であって、前記初回運転が行われたか否かを示す情報が記憶されており、前記情報が前記初回運転が行われていないことを示す場合に限って、前記圧縮機の運転周波数が圧縮機運転開始時から所定時間が経過するまで前記初回運転以外の場合よりも小さくなるように制限されることを特徴としている。
【０００８】
この空気調和機では、据え付け後に最初に行われる初回運転が既に行われた場合には、既に室外機の閉鎖弁の開け忘れ等の不具合の有無が検知されているので、圧縮機の運転は通常の制御で開始される。従って、圧縮機運転開始時において圧縮機の運転周波数が通常時よりも小さくなるように制限される場合と比較し、室内温度が予め設定された目標温度に早く到達するようになり、空気調和機の快適性を向上させることができる。
【０００９】
第３の発明に係る空気調和機は、第２の発明に係る空気調和機であって、前記圧縮機の起動後に冷媒回路において異常が発生した場合には前記圧縮機が停止されるものであって、前記情報が前記初回運転が行われていないことを示す状態において前記圧縮機が圧縮機運転開始時から所定時間が経過するまで停止しなかった場合には、前記情報が前記初回運転が行われたことを示すように変更されることを特徴としている。
【００１０】
この空気調和機では、圧縮機運転開始時から所定時間が経過するまで圧縮機が停止しなかった場合は、室外機の閉鎖弁の開け忘れ等の不具合が発生しておらず、次の起動時には圧縮機の運転周波数を通常時より小さくなるように制限する必要はないので、初回運転が完了したことが記憶される。一方、圧縮機運転開始時から所定時間が経過するまでに圧縮機が停止した場合は、次の起動時には、再度、圧縮機の運転周波数を通常時より小さくなるように制限する必要があるので、初回運転が完了していないことが記憶された状態に維持される。
【００１１】
第４の発明に係る空気調和機は、第２または第３の発明に係る空気調和機であって、前記情報が前記初回運転が行われたことを示す状態において前記室外機に冷媒を回収するための冷媒回収運転が行われた場合には、前記情報が前記初回運転が行われていないことを示すように変更されることを特徴としている。
【００１２】
この空気調和機では、室外機に冷媒を回収するための冷媒回収運転が行われた場合には、空気調和機が出荷または移設された後で、再度、空気調和機の据え付けが行われることになる。従って、出荷後または移設先での据え付け後の最初に行われる初回運転では、室外機の閉鎖弁の開け忘れ等の不具合が発生することがあり、再度、圧縮機の運転周波数を通常時より小さくなるように制限する必要があるので、初回運転が完了していないことが記憶される。
【００１３】
第５の発明に係る空気調和機は、第１〜４のいずれかの発明に係る空気調和機であって、予め設定された室内温度の目標温度及び前記室内機の周辺温度に基づいて前記圧縮機の運転周波数が制御されるものであって、前記目標温度及び前記室内機の周辺温度に基づいて導出される前記圧縮機の必要周波数が圧縮機運転開始時から所定時間が経過するまでの周波数よりも大きい場合には、圧縮機運転開始時から所定時間が経過した後で、前記必要周波数に近づくように前記圧縮機の運転周波数が制御されることを特徴としている。
【００１４】
この空気調和機では、初回運転において圧縮機運転開始時から所定時間が経過すると、圧縮機の運転周波数の制限が解除されるので、その後は、圧縮機の運転周波数は室内温度の目標温度及び室内機の周辺温度に基づく必要周波数に近づくように制御される。
【発明の効果】
【００１５】
以上の説明に述べたように、本発明によれば、以下の効果が得られる。
【００１６】
第１の発明では、据え付け後に最初に行われる初回運転の起動時においては、圧縮機の運転周波数が圧縮機運転開始時から所定時間が経過するまで通常の起動時よりも小さくなるように制限されるので、その間に、作業者は空気調和が適正に行われていないことに気付くことができると共に、室外機の閉鎖弁の開け忘れ等の不具合があることを検知することができる。また、初回運転時は通常時よりも小さい周波数で圧縮機が起動されるので、冷媒回路内の圧力が急激に上昇するのが抑制される。従って、空気調和が適正に行われないのを防止すると共に、冷媒配管内の圧力が非常に高くなる前に圧縮機を停止させる等の処置が可能となり、空気調和機の安全性及び信頼性を向上させることができる。
【００１７】
第２の発明では、据え付け後に最初に行われる初回運転が既に行われた場合には、既に室外機の閉鎖弁の開け忘れ等の不具合の有無が検知されているので、圧縮機の運転は通常の制御で開始される。従って、圧縮機運転開始時において圧縮機の運転周波数が通常時よりも小さくなるように制限される場合と比較し、室内温度が予め設定された目標温度に早く到達するようになり、空気調和機の快適性を向上させることができる。
【００１８】
第３の発明では、圧縮機運転開始時から所定時間が経過するまで圧縮機が停止しなかった場合は、室外機の閉鎖弁の開け忘れ等の不具合が発生しておらず、次の起動時には圧縮機の運転周波数を通常時より小さくなるように制限する必要はないので、初回運転が完了したことが記憶される。一方、圧縮機運転開始時から所定時間が経過するまでに圧縮機が停止した場合は、次の起動時には、再度、圧縮機の運転周波数を通常時より小さくなるように制限する必要があるので、初回運転が完了していないことが記憶された状態に維持される。
【００１９】
第４の発明では、室外機に冷媒を回収するための冷媒回収運転が行われた場合には、空気調和機が出荷または移設された後で、再度、空気調和機の据え付けが行われることになる。従って、出荷後または移設先での据え付け後の最初に行われる初回運転では、室外機の閉鎖弁の開け忘れ等の不具合が発生することがあり、再度、圧縮機の運転周波数を通常時より小さくなるように制限する必要があるので、初回運転が完了していないことが記憶される。
【００２０】
第５の発明では、初回運転において圧縮機運転開始時から所定時間が経過すると、圧縮機の運転周波数の制限が解除されるので、その後は、圧縮機の運転周波数は室内温度の目標温度及び室内機の周辺温度に基づく必要周波数に近づくように制御される。
【発明を実施するための最良の形態】
【００２１】
以下、本発明に係る空気調和機の実施の形態について、図面を参照しつつ説明する。図１は、本発明の実施の形態に係る空気調和機の冷媒回路図である。
【００２２】
図１の空気調和機１０は、室内熱交換器２を有する室内機１と、室外熱交換器４と、インバータによって圧縮能力可変に制御される圧縮機５と、四路切換弁６と、電動膨張弁７とを有する室外機３と、室内機１と室外機３とを接続するための液側接続配管８及びガス接続配管９とを備えている。また、室外機３の液側接続配管８との接続部近傍には液側閉鎖弁８ａが設けられており、ガス接続配管９との接続部近傍にはガス側閉鎖弁９ａが設けられている。
【００２３】
空気調和機１０の据え付けが行われる際には、まず、液側閉鎖弁８ａ及びガス側閉鎖弁９ａが閉鎖されることで冷媒が封入された状態の室外機３と、室内機１とが液側接続配管８及びガス側接続配管９によりそれぞれ接続された後で、室内機１の室内熱交換器１、液側接続配管８及びガス側接続配管９内の真空引きが行われる。そして、真空引きが完了すると、室外機３の液側閉鎖弁８ａ及びガス側閉鎖弁９ａを開けることで、室外機３内の冷媒が室内機１の室内熱交換器１、液側接続配管８及びガス側接続配管９内に放出される。
【００２４】
次に、本実施の形態の空気調和機１０の制御ユニットの構成について、図２を参照して説明する。図２は、図１の空気調和機の制御ユニットの構成を示すブロック図である。
【００２５】
制御ユニット３０は、運転設定記憶部３１と、初回運転情報記憶部３２と、制御部３３と、異常検知部３４と、運転タイマー３５とを有している。また、制御ユニット３０には、ユーザが種々の操作を行うためのリモートコントローラ４１（以下、リモコン４１と記載する）と、室内機１に配置された室温センサ４２と、室外機３に配置された圧縮機３とがそれぞれ接続されている。
【００２６】
運転設定記憶部３１は、空気調和機１０に関する種々の運転設定を記憶するものである。ここで、運転設定には、ユーザによってリモコン４１が操作されることで設定されるものと、空気調和機１０に対して予め設定されたものとがある。具体的には、本実施の形態の空気調和機１０では、リモコン４１でユーザによって設定された室内温度の目標温度（設定温度）と、据え付け後の最初に行われる初回運転における圧縮機５の運転周波数の制限値と、初回運転以外における圧縮機５の運転周波数の制限値と、圧縮機５の運転周波数の制限が行われる圧縮機運転開始時からの所定時間とが含まれる。
【００２７】
本実施の形態では、初回運転の起動時における制限値としては、液側閉鎖弁８ａの開け忘れ対応として、圧縮機５の運転周波数の上限値（例えば８０Ｈｚ）と、圧縮機５の運転周波数の制限が行われる第１所定時間（例えば１５分）とが設定されており、ガス側閉鎖弁９ａの開け忘れ対応として、圧縮機５の入力電流値の上限値（例えば５Ａ）と、圧縮機５の入力電流値の制限が行われる第２所定時間（例えば５分）とが設定されている。つまり、初回運転の起動時においては、圧縮機５の運転周波数の上限値の制限は、圧縮機運転開始時から第１所定時間が経過するまで継続し、圧縮機５の入力電流値の上限値の制限は、圧縮機運転開始時から第２所定時間が経過するまで継続する。
【００２８】
ここで、圧縮機５の運転周波数の上限値または圧縮機５の入力電流値の上限値の設定においては、室外機３の閉鎖弁の開け忘れがあった場合でも、冷媒回路の設計圧力を過大に超えないように設定されるのが好ましく、例えば圧縮機の運転周波数が定格出力時の運転周波数の約１／２程度以下になるように設定することが考えられる。
【００２９】
また、初回運転以外の通常運転の起動時における制限値としては、既に室外機の閉鎖弁の開け忘れ等の不具合の有無が検知されているので、圧縮機の運転は通常の制御で開始される。通常の制御では、圧縮機５の運転周波数の上限値（例えば１０８Ｈｚ）と、圧縮機５の入力電流値の上限値（例えば９Ａ）とが設定されている。つまり、初回運転以外の通常運転の起動時においては、液側閉鎖弁８ａの開け忘れ対応やガス側閉鎖弁９ａの開け忘れ対応を行わない圧縮機の運転となる。
【００３０】
初回運転情報記憶部３２は、空気調和機１０において据え付け後の最初に行われる初回運転が行われたか否かを示す初回運転情報を記憶するものであり、例えば不揮発性メモリーであって、その初回運転情報の内容は適宜変更される。つまり、空気調和機１０の出荷時は、初回運転情報は「初回運転なし」を示す状態になっている。そして、空気調和機１０が据え付けられた後で、初回運転が完了すると、初回運転情報は「初回運転あり」を示すように変更される。ここで、初回運転において圧縮機５の運転が圧縮機運転開始時から圧縮機５の運転周波数の制限が行われる時間が経過するまで停止しないで継続した場合に、初回運転が完了したとみなされる。また、初回運転情報記憶部３２に記憶された初回運転情報が「初回運転あり」を示す状態において、空気調和機１０の電源が遮断された場合でも、初回運転情報は「初回運転あり」を示す状態に維持される。
【００３１】
制御部３３は、圧縮機５の運転周波数を制御するものであり、必要周波数検知部３３ａを有している。つまり、制御部３３は、圧縮機運転開始時において、初回運転情報記憶部３２に記憶された初回運転情報が「初回運転なし」を示す状態では、運転設定記憶部３１に記憶された初回運転における制限値に基づいて制限された状態で、圧縮機５の運転周波数を制御する。一方、制御部３３は、圧縮機運転開始時において、初回運転情報記憶部３２に記憶された初回運転情報が「初回運転あり」を示す状態では、運転設定記憶部３１に記憶された初回運転以外の通常運転における制限値に基づいて制限された状態で、圧縮機５の運転周波数を制御する。
【００３２】
また、必要周波数検知部３３ａは、運転設定記憶部３１に記憶された目標温度と室温センサ４１で検出された温度との差に基づいて、そのときに必要な能力に対応した圧縮機５の運転周波数（必要周波数）を検知する。従って、制御部３３は、圧縮機運転開始時における運転周波数の制限が解除されると、その後は、必要周波数検知部３３ａで検知された必要周波数に近づくように圧縮機５の運転周波数を制御する。
【００３３】
異常検知部３４は、空気調和機１０の冷媒回路における異常を検知する。異常検知部３４には、例えば圧縮機出力過電流検出や圧縮機ローター位置検出不良に基づいて冷媒回路の異常を検知するものがあるが、その構成は冷媒回路における異常を検知できる範囲で変更可能である。本実施の形態では、異常検知部３４で冷媒回路の異常を検知することで、システムの破壊圧力に至ったり圧縮機のモータコイルが温度限界に至る前に圧縮機５を停止させることができる。
【００３４】
運転タイマー３５は、圧縮機５の運転周波数の制限が行われる時間を計測するものであり、圧縮機運転開始時に計測を開始する。そして、運転タイマー３５での計測時間が運転設定記憶部３１に記憶された各所定時間になるまでは、圧縮機５の運転周波数の制限がそれぞれ行われる。その後、運転タイマー３５での計測時間が各所定時間になると、圧縮機５の運転周波数の制限がそれぞれ解除される。つまり、初回運転においては、圧縮機運転開始時から第１所定時間及び第２所定時間のいずれもが経過すると、その後は、圧縮機５の運転周波数が必要周波数に近づくように変更される。
【００３５】
次に、本実施の形態の空気調和機１０において初回運転が行われる際の動作手順について、図３を参照して説明する。図３は、図１の空気調和機において初回運転が行われる際の動作手順を示すフローチャートである。
【００３６】
まず、ユーザによって運転開始の操作が行われると、初回運転情報記憶部３２に記憶された初回運転情報が「初回運転なし」を示すものであるか否かが判断される（ステップＳ１）。ここで、初回運転情報が「初回運転なし」を示すものである場合（Ｓ１：ＹＥＳ）には、圧縮機５の運転が開始されると共に、運転タイマー３５での計測が開始される（ステップＳ２）。その後、圧縮機５が停止したか否かが判断される（ステップＳ３）。そして、圧縮機５が停止しなかった場合（Ｓ３：ＮＯ）には、運転設定記憶部３１に記憶された制限値に基づいて圧縮機５の運転周波数が制限された状態で、圧縮機５の運転が継続される（ステップＳ４）。
【００３７】
その後、圧縮機運転開始時から所定時間が経過したか否か（運転タイマー３５での計測時間が所定時間を経過したか否か）が繰り返し判断される（ステップＳ５）。ここで、上述した運転設定記憶部３１に記憶された第１所定時間と第２所定時間とが異なる場合には、第１所定時間が経過すると圧縮機５の運転周波数の上限値の制限は解除され、第２所定時間が経過すると圧縮機５の入力電流値の上限値の制限は解除されるが、本実施の形態の動作手順では、上記の所定時間は第１所定時間及び第２所定時間のうちの長い方を示し、圧縮機運転開始時から圧縮機５の運転周波数の制限が解除されるまでの時間を示している。
【００３８】
ここで、圧縮機運転開始時から所定時間が経過した場合（Ｓ５：ＹＥＳ）には、圧縮機５の運転周波数の制限が解除される（ステップＳ６）。従って、その後は、圧縮機５の運転周波数は、圧縮機５の運転周波数は、室内温度の目標温度及び室内機１の周辺温度の差に基づいて検知される必要周波数に近づくように制御される。そして、初回運転情報記憶部３２に記憶された初回運転情報が「初回運転あり」を示すもの変更され（ステップＳ７）、初回運転が終了する。
【００３９】
一方、ステップＳ５において、圧縮機運転開始時から所定時間が経過していない場合（Ｓ５：ＮＯ）には、ステップＳ３に戻って、上述と同様の処理が繰り返される。
【００４０】
また、ステップＳ１において、初回運転情報が「初回運転なし」を示すものでない場合つまり「初回運転あり」を示すものである場合（Ｓ１：ＮＯ）には、初回運転は行われないので、初回運転情報記憶部３２に記憶された初回運転情報が「初回運転あり」を示すものに維持された状態で、処理が終了する。
【００４１】
次に、本実施の形態に係る空気調和機１０において初回運転が行われる際の他の動作手順について、図４を参照して説明する。図４は、図１の空気調和機において初回運転が行われる際の他の動作手順を示すフローチャートである。
【００４２】
まず、ユーザによって運転開始の操作が行われると、初回運転情報記憶部３２に記憶された初回運転情報が「初回運転なし」を示すものであるか否かが判断される（ステップＳ１１）。ここで、初回運転情報が「初回運転なし」を示すものである場合（Ｓ１１：ＹＥＳ）には、圧縮機５の運転が開始されると共に、運転タイマー３５での計測が開始される（ステップＳ１２）。その後、圧縮機５が停止したか否かが判断される（ステップＳ１３）。そして、圧縮機５が停止しなかった場合（Ｓ１３：ＮＯ）には、運転設定記憶部３１に記憶された制限値に基づいて圧縮機５の運転周波数が制限された状態で、圧縮機５の運転が継続される（ステップＳ１４）。
【００４３】
その後、圧縮機運転開始時から所定時間が経過したか否か（運転タイマー３５での計測時間が所定時間を経過したか否か）が繰り返し判断される（ステップＳ１５）。なお、上記の所定時間については上述と同様である。ここで、圧縮機運転開始時から所定時間が経過した場合（Ｓ１５：ＹＥＳ）には、圧縮機５の運転周波数の制限が解除される（ステップＳ１６）。従って、その後は、圧縮機５の運転周波数は、室内温度の目標温度及び室内機１の周辺温度の差に基づいて検知される必要周波数に近づくように制御される。
【００４４】
そして、冷媒回収運転が行われたか否かが判断される（ステップＳ１７）。ここで、冷媒回収運転とは、室外機３内に冷媒を封入するための運転である。空気調和機の中には、通常の冷房運転とは異なる運転モードとして、強制運転モードやポンプダウンモード等が設定されているものがあり、この空気調和機では、上記モードでの運転が行われた場合に、冷媒回収運転が行われたと判断されてもよい。
【００４５】
ここで、冷媒回収運転が行われた場合（Ｓ１７：ＹＥＳ）には、初回運転情報記憶部３２に記憶された初回運転情報が「初回運転なし」を示すものに変更され（ステップＳ１８）、初回運転が終了する。一方、冷媒回収運転が行われなかった場合（Ｓ１７：ＮＯ）には、初回運転情報記憶部３２に記憶された初回運転情報が「初回運転あり」を示すものに変更され（ステップＳ１９）、初回運転が終了する。
【００４６】
また、ステップＳ１５において、圧縮機運転開始時から所定時間が経過していない場合（Ｓ１５：ＮＯ）には、ステップＳ１３に戻って、上述と同様の処理が繰り返される。
【００４７】
ところで、ステップＳ１１において、初回運転情報が「初回運転なし」を示すものでない場合つまり「初回運転あり」を示すものである場合（Ｓ１１：ＮＯ）には、冷媒回収運転が行われたか否かが判断される（ステップＳ２０）。ここで、冷媒回収運転が行われた場合（Ｓ２０：ＹＥＳ）には、初回運転情報記憶部３２に記憶された初回運転情報が「初回運転なし」を示すものに変更され（ステップＳ２１）、初回運転が終了する。一方、冷媒回収運転が行われなかった場合（Ｓ２０：ＮＯ）には、初回運転は行われないので、初回運転情報記憶部３２に記憶された初回運転情報が「初回運転あり」を示すものに維持された状態で、初回運転が終了する。
【００４８】
以上説明したように、本実施の形態の空気調和機１０では、据え付け後に最初に行われる初回運転の起動時においては、圧縮機５の運転周波数が圧縮機運転開始時から所定時間が経過するまで通常の起動時よりも小さくなるように制限されるので、その間に、作業者は空気調和が適正に行われていないことに気付くことができると共に、室外機３の閉鎖弁の開け忘れ等の不具合があることを検知することができる。また、初回運転時は通常時よりも小さい周波数で圧縮機５が起動されるので、冷媒回路内の圧力が急激に上昇するのが抑制される。従って、空気調和が適正に行われないのを防止すると共に、冷媒配管内の圧力が非常に高くなる前に圧縮機５を停止させる等の処置が可能となり、空気調和機１０の安全性及び信頼性を向上させることができる。
【００４９】
また、空気調和機１０では、初回運転情報記憶部３２に記憶された初回運転情報が「初回運転なし」を示す場合に限って、圧縮機運転開始時において圧縮機５の運転周波数が制限され、初回運転情報が「初回運転あり」を示す場合には、既に室外機３の閉鎖弁の開け忘れ等の不具合の有無が検知されているので、圧縮機の運転は通常の制御で開始される。従って、初回運転情報が「初回運転あり」を示す場合においても、圧縮機運転開始時において圧縮機５の運転周波数が通常時よりも小さくなるように制限される場合と比較し、室内温度が予め設定された目標温度に早く到達するようになり、空気調和機の快適性を向上させることができる。
【００５０】
また、圧縮機運転開始時から所定時間が経過するまで圧縮機５が停止しなかった場合は、室外機３の閉鎖弁の開け忘れ等の不具合が発生しておらず、次の起動時には圧縮機５の運転周波数を通常時より小さくなるように制限する必要はないので、初回運転情報が「初回運転あり」に変更される。一方、圧縮機運転開始時から所定時間が経過するまでに圧縮機５が停止した場合は、次の起動時には、再度、圧縮機５の運転周波数を通常時より小さくなるように制限する必要があるので、初回運転情報が「初回運転なし」に維持される。
【００５１】
また、室外機３に冷媒を回収するための冷媒回収運転が行われた場合には、空気調和機１０が出荷または移設された後で、再度、空気調和機１０の据え付けが行われることになる。従って、出荷後または移設先での据え付け後の最初に行われる初回運転では、室外機３の閉鎖弁の開け忘れ等の不具合が発生することがあり、再度、圧縮機５の運転周波数を通常時より小さくなるように制限する必要があるので、初回運転情報が「初回運転なし」に維持される。
【００５２】
以上、本発明の実施の形態について図面に基づいて説明したが、具体的な構成は、これらの実施の形態に限られるものではなく、発明の要旨を逸脱しない範囲で変更可能である。
【００５３】
上述の実施の形態では、初回運転における制限値として、液側閉鎖弁８ａの開け忘れ対応として、圧縮機５の運転周波数の上限値が設定され、ガス側閉鎖弁９ａの開け忘れ対応として、圧縮機５の入力電流値の上限値が設定されているが、圧縮機の運転周波数を制限する方法は変更可能である。従って、圧縮機の運転周波数は、圧縮機５の運転周波数の上限値または圧縮機５の入力電流値の上限値以外の制限値で設定してもよい。また、液側閉鎖弁８ａの開け忘れ対応及びガス側閉鎖弁９ａの開け忘れ対応として、互いに異なる制限値を設定する必要はなく、同じ制限値を設定してもよい。また、圧縮機５の運転周波数の制限が行われる第１所定時間及び第２所定時間は、各種運転諸条件に基づく計算値に設定してもよいし、互いに異なる複数の制限値を設定し、それらのそれぞれに時間を設定してもよい。
【産業上の利用可能性】
【００５４】
本発明を利用すれば、空気調和が適正に行われないのを防止すると共に、空気調和機の安全性及び信頼性を向上させることができる。
【図面の簡単な説明】
【００５５】
【図１】本発明の実施の形態に係る空気調和機の冷媒回路図である。
【図２】図１の空気調和機の制御ユニットの構成を示すブロック図である。
【図３】図１の空気調和機において初回運転が行われる際の動作手順を示すフローチャートである。
【図４】図１の空気調和機において初回運転が行われる際の他の動作手順を示すフローチャートである。
【符号の説明】
【００５６】
１  室内機
２  室内熱交換器
３  室外機
４  室外熱交換器
５  圧縮機
８  液側接続配管
８ａ  液側閉鎖弁
９  ガス側接続配管
９ａ  ガス側閉鎖弁
【図１】
2008185321.tif 000003
【図２】
2008185321.tif 000004
【図３】
2008185321.tif 000005
【図４】
2008185321.tif 000006
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
室内機（１）と、圧縮機（５）を有する室外機（３）と、前記室内機（１）と前記室外機（３）とを接続する接続配管（８、９）とを備えた空気調和機（１０）であって、
据え付け後に最初に行われる初回運転の起動時においては、圧縮機運転開始時から第１所定時間が経過するまで前記圧縮機（５）の運転周波数が制限されると共に、圧縮機運転開始時から第２所定時間が経過するまで前記圧縮機（５）の入力電流値が制限されることを特徴とする空気調和機（１０）。
【請求項２】
前記初回運転が行われたか否かを示す情報が記憶されており、
前記情報が前記初回運転が行われていないことを示す場合に限って、圧縮機運転開始時から第１所定時間が経過するまで前記圧縮機（５）の運転周波数が制限されると共に、圧縮機運転開始時から第２所定時間が経過するまで前記圧縮機（５）の入力電流値が制限されることを特徴とする請求項１に記載の空気調和機（１０）。
【請求項３】
前記圧縮機（５）の起動後に冷媒回路において異常が発生した場合には前記圧縮機（５）が停止されるものであって、
前記情報が前記初回運転が行われていないことを示す状態において前記圧縮機（５）が圧縮機運転開始時から前記第１所定時間及び前記第２所定時間が共に経過するまで停止しなかった場合には、前記情報が前記初回運転が行われたことを示すように変更されることを特徴とする請求項２に記載の空気調和機（１０）。
【請求項４】
前記情報が前記初回運転が行われたことを示す状態において前記室外機（３）に冷媒を回収するための冷媒回収運転が行われた場合には、前記情報が前記初回運転が行われていないことを示すように変更されることを特徴とする請求項２または３に記載の空気調和機（１０）。
【請求項５】
予め設定された室内温度の目標温度及び前記室内機（１）の周辺温度に基づいて前記圧縮機（５）の運転周波数が制御されるものであって、
前記目標温度及び前記室内機（１）の周辺温度に基づいて導出される前記圧縮機（５）の必要周波数が圧縮機運転開始時から前記第１所定時間及び前記第２所定時間が共に経過するまでの周波数よりも大きい場合には、圧縮機運転開始時から前記第１所定時間及び前記第２所定時間が共に経過した後で、前記必要周波数に近づくように前記圧縮機（５）の運転周波数が制御されることを特徴とする請求項１〜４のいずれか１項に記載の空気調和機（１０）。 
【手続補正２】
【補正対象書類名】明細書
【補正対象項目名】全文
【補正方法】変更
【補正の内容】
【発明の詳細な説明】
【技術分野】
【０００１】
本発明は、室内機と室外機とが接続配管により接続された空気調和機に関するものである。
【背景技術】
【０００２】
セパレートタイプの空気調和機の据え付けが行われる際には、まず、冷媒が封入された状態の室外機と室内機とが接続配管により接続された後で、室内機の室内熱交換器及び接続配管内の真空引きが行われる。そして、真空引きが完了すると、室外機の閉鎖弁を開けることで、室外機内の冷媒が接続配管及び室内機の室内熱交換器内に放出される。ここで、上記の据え付け時に、作業者が室外機の複数の閉鎖弁の一部を開け忘れた場合には、空気調和を適正に行うことができないと共に、例えば冷媒回路内の圧力が非常に高くなる等により空気調和機の安全性及び信頼性が低下することがある。そこで、室外機内の冷媒配管に圧力スイッチを配置し、冷媒配管内の圧力が高くなったことを検出することで、閉鎖弁の開け忘れを検知する方法がある（例えば、特許文献１参照）。
【特許文献１】特開２００１−２８０７１６号公報
【発明の開示】
【発明が解決しようとする課題】
【０００３】
しかしながら、室外機の小型化が図られる状況においては、室外機内の冷媒配管に圧力スイッチを配置するのは構造的に困難であることが多い。また、圧力スイッチを追加することで空気調和機の製造コストが増大することになる。
【０００４】
そこで、本発明の主な目的は、空気調和が適正に行われないのを防止すると共に、安全性及び信頼性を向上させることができる空気調和機を提供することである。
【課題を解決するための手段】
【０００５】
第１の発明に係る空気調和機は、室内機と、圧縮機を有する室外機と、前記室内機と前記室外機とを接続する接続配管とを備えた空気調和機であって、据え付け後に最初に行われる初回運転の起動時においては、圧縮機運転開始時から第１所定時間が経過するまで前記圧縮機の運転周波数が制限されると共に、圧縮機運転開始時から第２所定時間が経過するまで前記圧縮機の入力電流値が制限されることを特徴としている。
【０００６】
この空気調和機では、据え付け後に最初に行われる初回運転の起動時においては、圧縮機運転開始時から第１所定時間が経過するまで圧縮機の運転周波数が制限されると共に、圧縮機運転開始時から第２所定時間が経過するまで圧縮機の入力電流値が制限されるので、その間に、作業者は空気調和が適正に行われていないことに気付くことができると共に、室外機の閉鎖弁の開け忘れ等の不具合があることを検知することができる。また、初回運転時は圧縮機の運転周波数及び入力電流値が制限されるので、冷媒回路内の圧力が急激に上昇するのが抑制される。従って、空気調和が適正に行われないのを防止すると共に、冷媒配管内の圧力が非常に高くなる前に圧縮機を停止させる等の処置が可能となり、空気調和機の安全性及び信頼性を向上させることができる。
【０００７】
第２の発明に係る空気調和機は、第１の発明に係る空気調和機であって、前記初回運転が行われたか否かを示す情報が記憶されており、前記情報が前記初回運転が行われていないことを示す場合に限って、圧縮機運転開始時から第１所定時間が経過するまで前記圧縮機の運転周波数が制限されると共に、圧縮機運転開始時から第２所定時間が経過するまで前記圧縮機の入力電流値が制限されることを特徴としている。
【０００８】
この空気調和機では、据え付け後に最初に行われる初回運転が既に行われた場合には、既に室外機の閉鎖弁の開け忘れ等の不具合の有無が検知されているので、圧縮機の運転は通常の制御で開始される。従って、圧縮機運転開始時において圧縮機の運転周波数及び入力電流値が制限される場合と比較し、室内温度が予め設定された目標温度に早く到達するようになり、空気調和機の快適性を向上させることができる。
【０００９】
第３の発明に係る空気調和機は、第２の発明に係る空気調和機であって、前記圧縮機の起動後に冷媒回路において異常が発生した場合には前記圧縮機が停止されるものであって、前記情報が前記初回運転が行われていないことを示す状態において前記圧縮機が圧縮機運転開始時から前記第１所定時間及び前記第２所定時間が共に経過するまで停止しなかった場合には、前記情報が前記初回運転が行われたことを示すように変更されることを特徴としている。
【００１０】
この空気調和機では、圧縮機運転開始時から第１所定時間及び第２所定時間が共に経過するまで圧縮機が停止しなかった場合は、室外機の閉鎖弁の開け忘れ等の不具合が発生しておらず、次の起動時には圧縮機の運転周波数及び入力電流値を制限する必要はないので、初回運転が完了したことが記憶される。一方、圧縮機運転開始時から第１所定時間及び第２所定時間のいずれもが経過するまでに圧縮機が停止した場合は、次の起動時には、再度、圧縮機の運転周波数及び入力電流値を制限する必要があるので、初回運転が完了していないことが記憶された状態に維持される。
【００１１】
第４の発明に係る空気調和機は、第２または第３の発明に係る空気調和機であって、前記情報が前記初回運転が行われたことを示す状態において前記室外機に冷媒を回収するための冷媒回収運転が行われた場合には、前記情報が前記初回運転が行われていないことを示すように変更されることを特徴としている。
【００１２】
この空気調和機では、室外機に冷媒を回収するための冷媒回収運転が行われた場合には、空気調和機が出荷または移設された後で、再度、空気調和機の据え付けが行われることになる。従って、出荷後または移設先での据え付け後の最初に行われる初回運転では、室外機の閉鎖弁の開け忘れ等の不具合が発生することがあり、再度、圧縮機の運転周波数及び入力電流値を制限する必要があるので、初回運転が完了していないことが記憶される。
【００１３】
第５の発明に係る空気調和機は、第１〜４のいずれかの発明に係る空気調和機であって、予め設定された室内温度の目標温度及び前記室内機の周辺温度に基づいて前記圧縮機の運転周波数が制御されるものであって、前記目標温度及び前記室内機の周辺温度に基づいて導出される前記圧縮機の必要周波数が圧縮機運転開始時から前記第１所定時間及び前記第２所定時間が共に経過するまでの周波数よりも大きい場合には、圧縮機運転開始時から前記第１所定時間及び前記第２所定時間が共に経過した後で、前記必要周波数に近づくように前記圧縮機の運転周波数が制御されることを特徴としている。
【００１４】
この空気調和機では、初回運転において圧縮機運転開始時から第１所定時間及び第２所定時間が共に経過すると、圧縮機の運転周波数及び入力電流値の制限が解除されるので、その後は、圧縮機の運転周波数は室内温度の目標温度及び室内機の周辺温度に基づく必要周波数に近づくように制御される。
【発明の効果】
【００１５】
以上の説明に述べたように、本発明によれば、以下の効果が得られる。
【００１６】
第１の発明では、据え付け後に最初に行われる初回運転の起動時においては、圧縮機運転開始時から第１所定時間が経過するまで圧縮機の運転周波数が制限されると共に、圧縮機運転開始時から第２所定時間が経過するまで圧縮機の入力電流値が制限されるので、その間に、作業者は空気調和が適正に行われていないことに気付くことができると共に、室外機の閉鎖弁の開け忘れ等の不具合があることを検知することができる。また、初回運転時は圧縮機の運転周波数及び入力電流値が制限されるので、冷媒回路内の圧力が急激に上昇するのが抑制される。従って、空気調和が適正に行われないのを防止すると共に、冷媒配管内の圧力が非常に高くなる前に圧縮機を停止させる等の処置が可能となり、空気調和機の安全性及び信頼性を向上させることができる。
【００１７】
第２の発明では、据え付け後に最初に行われる初回運転が既に行われた場合には、既に室外機の閉鎖弁の開け忘れ等の不具合の有無が検知されているので、圧縮機の運転は通常の制御で開始される。従って、圧縮機運転開始時において圧縮機の運転周波数及び入力電流値が制限される場合と比較し、室内温度が予め設定された目標温度に早く到達するようになり、空気調和機の快適性を向上させることができる。
【００１８】
第３の発明では、圧縮機運転開始時から所定時間が経過するまで圧縮機が停止しなかった場合は、室外機の閉鎖弁の開け忘れ等の不具合が発生しておらず、次の起動時には圧縮機の運転周波数及び入力電流値を制限する必要はないので、初回運転が完了したことが記憶される。一方、圧縮機運転開始時から所定時間が経過するまでに圧縮機が停止した場合は、次の起動時には、再度、圧縮機の運転周波数及び入力電流値を制限する必要があるので、初回運転が完了していないことが記憶された状態に維持される。
【００１９】
第４の発明では、室外機に冷媒を回収するための冷媒回収運転が行われた場合には、空気調和機が出荷または移設された後で、再度、空気調和機の据え付けが行われることになる。従って、出荷後または移設先での据え付け後の最初に行われる初回運転では、室外機の閉鎖弁の開け忘れ等の不具合が発生することがあり、再度、圧縮機の運転周波数及び入力電流値を制限する必要があるので、初回運転が完了していないことが記憶される。
【００２０】
第５の発明では、初回運転において圧縮機運転開始時から所定時間が経過すると、圧縮機の運転周波数及び入力電流値の制限が解除されるので、その後は、圧縮機の運転周波数は室内温度の目標温度及び室内機の周辺温度に基づく必要周波数に近づくように制御される。
【発明を実施するための最良の形態】
【００２１】
以下、本発明に係る空気調和機の実施の形態について、図面を参照しつつ説明する。図１は、本発明の実施の形態に係る空気調和機の冷媒回路図である。
【００２２】
図１の空気調和機１０は、室内熱交換器２を有する室内機１と、室外熱交換器４と、インバータによって圧縮能力可変に制御される圧縮機５と、四路切換弁６と、電動膨張弁７とを有する室外機３と、室内機１と室外機３とを接続するための液側接続配管８及びガス接続配管９とを備えている。また、室外機３の液側接続配管８との接続部近傍には液側閉鎖弁８ａが設けられており、ガス接続配管９との接続部近傍にはガス側閉鎖弁９ａが設けられている。
【００２３】
空気調和機１０の据え付けが行われる際には、まず、液側閉鎖弁８ａ及びガス側閉鎖弁９ａが閉鎖されることで冷媒が封入された状態の室外機３と、室内機１とが液側接続配管８及びガス側接続配管９によりそれぞれ接続された後で、室内機１の室内熱交換器１、液側接続配管８及びガス側接続配管９内の真空引きが行われる。そして、真空引きが完了すると、室外機３の液側閉鎖弁８ａ及びガス側閉鎖弁９ａを開けることで、室外機３内の冷媒が室内機１の室内熱交換器１、液側接続配管８及びガス側接続配管９内に放出される。
【００２４】
次に、本実施の形態の空気調和機１０の制御ユニットの構成について、図２を参照して説明する。図２は、図１の空気調和機の制御ユニットの構成を示すブロック図である。
【００２５】
制御ユニット３０は、運転設定記憶部３１と、初回運転情報記憶部３２と、制御部３３と、異常検知部３４と、運転タイマー３５とを有している。また、制御ユニット３０には、ユーザが種々の操作を行うためのリモートコントローラ４１（以下、リモコン４１と記載する）と、室内機１に配置された室温センサ４２と、室外機３に配置された圧縮機３とがそれぞれ接続されている。
【００２６】
運転設定記憶部３１は、空気調和機１０に関する種々の運転設定を記憶するものである。ここで、運転設定には、ユーザによってリモコン４１が操作されることで設定されるものと、空気調和機１０に対して予め設定されたものとがある。具体的には、本実施の形態の空気調和機１０では、リモコン４１でユーザによって設定された室内温度の目標温度（設定温度）と、据え付け後の最初に行われる初回運転における圧縮機５の運転周波数の制限値と、初回運転以外における圧縮機５の運転周波数の制限値と、圧縮機５の運転周波数の制限が行われる圧縮機運転開始時からの所定時間とが含まれる。
【００２７】
本実施の形態では、初回運転の起動時における制限値としては、液側閉鎖弁８ａの開け忘れ対応として、圧縮機５の運転周波数の上限値（例えば８０Ｈｚ）と、圧縮機５の運転周波数の制限が行われる第１所定時間（例えば１５分）とが設定されており、ガス側閉鎖弁９ａの開け忘れ対応として、圧縮機５の入力電流値の上限値（例えば５Ａ）と、圧縮機５の入力電流値の制限が行われる第２所定時間（例えば５分）とが設定されている。つまり、初回運転の起動時においては、圧縮機５の運転周波数の上限値の制限は、圧縮機運転開始時から第１所定時間が経過するまで継続し、圧縮機５の入力電流値の上限値の制限は、圧縮機運転開始時から第２所定時間が経過するまで継続する。
【００２８】
ここで、圧縮機５の運転周波数の上限値または圧縮機５の入力電流値の上限値の設定においては、室外機３の閉鎖弁の開け忘れがあった場合でも、冷媒回路の設計圧力を過大に超えないように設定されるのが好ましく、例えば圧縮機の運転周波数が定格出力時の運転周波数の約１／２程度以下になるように設定することが考えられる。
【００２９】
また、初回運転以外の通常運転の起動時における制限値としては、既に室外機の閉鎖弁の開け忘れ等の不具合の有無が検知されているので、圧縮機の運転は通常の制御で開始される。通常の制御では、圧縮機５の運転周波数の上限値（例えば１０８Ｈｚ）と、圧縮機５の入力電流値の上限値（例えば９Ａ）とが設定されている。つまり、初回運転以外の通常運転の起動時においては、液側閉鎖弁８ａの開け忘れ対応やガス側閉鎖弁９ａの開け忘れ対応を行わない圧縮機の運転となる。
【００３０】
初回運転情報記憶部３２は、空気調和機１０において据え付け後の最初に行われる初回運転が行われたか否かを示す初回運転情報を記憶するものであり、例えば不揮発性メモリーであって、その初回運転情報の内容は適宜変更される。つまり、空気調和機１０の出荷時は、初回運転情報は「初回運転なし」を示す状態になっている。そして、空気調和機１０が据え付けられた後で、初回運転が完了すると、初回運転情報は「初回運転あり」を示すように変更される。ここで、初回運転において圧縮機５の運転が圧縮機運転開始時から圧縮機５の運転周波数の制限が行われる時間が経過するまで停止しないで継続した場合に、初回運転が完了したとみなされる。また、初回運転情報記憶部３２に記憶された初回運転情報が「初回運転あり」を示す状態において、空気調和機１０の電源が遮断された場合でも、初回運転情報は「初回運転あり」を示す状態に維持される。
【００３１】
制御部３３は、圧縮機５の運転周波数を制御するものであり、必要周波数検知部３３ａを有している。つまり、制御部３３は、圧縮機運転開始時において、初回運転情報記憶部３２に記憶された初回運転情報が「初回運転なし」を示す状態では、運転設定記憶部３１に記憶された初回運転における制限値に基づいて制限された状態で、圧縮機５の運転周波数を制御する。一方、制御部３３は、圧縮機運転開始時において、初回運転情報記憶部３２に記憶された初回運転情報が「初回運転あり」を示す状態では、運転設定記憶部３１に記憶された初回運転以外の通常運転における制限値に基づいて制限された状態で、圧縮機５の運転周波数を制御する。
【００３２】
また、必要周波数検知部３３ａは、運転設定記憶部３１に記憶された目標温度と室温センサ４１で検出された温度との差に基づいて、そのときに必要な能力に対応した圧縮機５の運転周波数（必要周波数）を検知する。従って、制御部３３は、圧縮機運転開始時における運転周波数の制限が解除されると、その後は、必要周波数検知部３３ａで検知された必要周波数に近づくように圧縮機５の運転周波数を制御する。
【００３３】
異常検知部３４は、空気調和機１０の冷媒回路における異常を検知する。異常検知部３４には、例えば圧縮機出力過電流検出や圧縮機ローター位置検出不良に基づいて冷媒回路の異常を検知するものがあるが、その構成は冷媒回路における異常を検知できる範囲で変更可能である。本実施の形態では、異常検知部３４で冷媒回路の異常を検知することで、システムの破壊圧力に至ったり圧縮機のモータコイルが温度限界に至る前に圧縮機５を停止させることができる。
【００３４】
運転タイマー３５は、圧縮機５の運転周波数の制限が行われる時間を計測するものであり、圧縮機運転開始時に計測を開始する。そして、運転タイマー３５での計測時間が運転設定記憶部３１に記憶された各所定時間になるまでは、圧縮機５の運転周波数の制限がそれぞれ行われる。その後、運転タイマー３５での計測時間が各所定時間になると、圧縮機５の運転周波数の制限がそれぞれ解除される。つまり、初回運転においては、圧縮機運転開始時から第１所定時間及び第２所定時間のいずれもが経過すると、その後は、圧縮機５の運転周波数が必要周波数に近づくように変更される。
【００３５】
次に、本実施の形態の空気調和機１０において初回運転が行われる際の動作手順について、図３を参照して説明する。図３は、図１の空気調和機において初回運転が行われる際の動作手順を示すフローチャートである。
【００３６】
まず、ユーザによって運転開始の操作が行われると、初回運転情報記憶部３２に記憶された初回運転情報が「初回運転なし」を示すものであるか否かが判断される（ステップＳ１）。ここで、初回運転情報が「初回運転なし」を示すものである場合（Ｓ１：ＹＥＳ）には、圧縮機５の運転が開始されると共に、運転タイマー３５での計測が開始される（ステップＳ２）。その後、圧縮機５が停止したか否かが判断される（ステップＳ３）。そして、圧縮機５が停止しなかった場合（Ｓ３：ＮＯ）には、運転設定記憶部３１に記憶された制限値に基づいて圧縮機５の運転周波数が制限された状態で、圧縮機５の運転が継続される（ステップＳ４）。
【００３７】
その後、圧縮機運転開始時から所定時間が経過したか否か（運転タイマー３５での計測時間が所定時間を経過したか否か）が繰り返し判断される（ステップＳ５）。ここで、上述した運転設定記憶部３１に記憶された第１所定時間と第２所定時間とが異なる場合には、第１所定時間が経過すると圧縮機５の運転周波数の上限値の制限は解除され、第２所定時間が経過すると圧縮機５の入力電流値の上限値の制限は解除されるが、本実施の形態の動作手順では、上記の所定時間は第１所定時間及び第２所定時間のうちの長い方を示し、圧縮機運転開始時から圧縮機５の運転周波数の制限が解除されるまでの時間を示している。
【００３８】
ここで、圧縮機運転開始時から所定時間が経過した場合（Ｓ５：ＹＥＳ）には、圧縮機５の運転周波数の制限が解除される（ステップＳ６）。従って、その後は、圧縮機５の運転周波数は、圧縮機５の運転周波数は、室内温度の目標温度及び室内機１の周辺温度の差に基づいて検知される必要周波数に近づくように制御される。そして、初回運転情報記憶部３２に記憶された初回運転情報が「初回運転あり」を示すもの変更され（ステップＳ７）、初回運転が終了する。
【００３９】
一方、ステップＳ５において、圧縮機運転開始時から所定時間が経過していない場合（Ｓ５：ＮＯ）には、ステップＳ３に戻って、上述と同様の処理が繰り返される。
【００４０】
また、ステップＳ１において、初回運転情報が「初回運転なし」を示すものでない場合つまり「初回運転あり」を示すものである場合（Ｓ１：ＮＯ）には、初回運転は行われないので、初回運転情報記憶部３２に記憶された初回運転情報が「初回運転あり」を示すものに維持された状態で、処理が終了する。
【００４１】
次に、本実施の形態に係る空気調和機１０において初回運転が行われる際の他の動作手順について、図４を参照して説明する。図４は、図１の空気調和機において初回運転が行われる際の他の動作手順を示すフローチャートである。
【００４２】
まず、ユーザによって運転開始の操作が行われると、初回運転情報記憶部３２に記憶された初回運転情報が「初回運転なし」を示すものであるか否かが判断される（ステップＳ１１）。ここで、初回運転情報が「初回運転なし」を示すものである場合（Ｓ１１：ＹＥＳ）には、圧縮機５の運転が開始されると共に、運転タイマー３５での計測が開始される（ステップＳ１２）。その後、圧縮機５が停止したか否かが判断される（ステップＳ１３）。そして、圧縮機５が停止しなかった場合（Ｓ１３：ＮＯ）には、運転設定記憶部３１に記憶された制限値に基づいて圧縮機５の運転周波数が制限された状態で、圧縮機５の運転が継続される（ステップＳ１４）。
【００４３】
その後、圧縮機運転開始時から所定時間が経過したか否か（運転タイマー３５での計測時間が所定時間を経過したか否か）が繰り返し判断される（ステップＳ１５）。なお、上記の所定時間については上述と同様である。ここで、圧縮機運転開始時から所定時間が経過した場合（Ｓ１５：ＹＥＳ）には、圧縮機５の運転周波数の制限が解除される（ステップＳ１６）。従って、その後は、圧縮機５の運転周波数は、室内温度の目標温度及び室内機１の周辺温度の差に基づいて検知される必要周波数に近づくように制御される。
【００４４】
そして、冷媒回収運転が行われたか否かが判断される（ステップＳ１７）。ここで、冷媒回収運転とは、室外機３内に冷媒を封入するための運転である。空気調和機の中には、通常の冷房運転とは異なる運転モードとして、強制運転モードやポンプダウンモード等が設定されているものがあり、この空気調和機では、上記モードでの運転が行われた場合に、冷媒回収運転が行われたと判断されてもよい。
【００４５】
ここで、冷媒回収運転が行われた場合（Ｓ１７：ＹＥＳ）には、初回運転情報記憶部３２に記憶された初回運転情報が「初回運転なし」を示すものに変更され（ステップＳ１８）、初回運転が終了する。一方、冷媒回収運転が行われなかった場合（Ｓ１７：ＮＯ）には、初回運転情報記憶部３２に記憶された初回運転情報が「初回運転あり」を示すものに変更され（ステップＳ１９）、初回運転が終了する。
【００４６】
また、ステップＳ１５において、圧縮機運転開始時から所定時間が経過していない場合（Ｓ１５：ＮＯ）には、ステップＳ１３に戻って、上述と同様の処理が繰り返される。
【００４７】
ところで、ステップＳ１１において、初回運転情報が「初回運転なし」を示すものでない場合つまり「初回運転あり」を示すものである場合（Ｓ１１：ＮＯ）には、冷媒回収運転が行われたか否かが判断される（ステップＳ２０）。ここで、冷媒回収運転が行われた場合（Ｓ２０：ＹＥＳ）には、初回運転情報記憶部３２に記憶された初回運転情報が「初回運転なし」を示すものに変更され（ステップＳ２１）、初回運転が終了する。一方、冷媒回収運転が行われなかった場合（Ｓ２０：ＮＯ）には、初回運転は行われないので、初回運転情報記憶部３２に記憶された初回運転情報が「初回運転あり」を示すものに維持された状態で、初回運転が終了する。
【００４８】
以上説明したように、本実施の形態の空気調和機１０では、据え付け後に最初に行われる初回運転の起動時においては、圧縮機運転開始時から第１所定時間が経過するまで圧縮機５の運転周波数が制限されると共に、圧縮機運転開始時から第２所定時間が経過するまで圧縮機５の入力電流値が制限されるので、その間に、作業者は空気調和が適正に行われていないことに気付くことができると共に、室外機３の閉鎖弁の開け忘れ等の不具合があることを検知することができる。また、初回運転時は圧縮機の運転周波数及び入力電流値が制限されるので、冷媒回路内の圧力が急激に上昇するのが抑制される。従って、空気調和が適正に行われないのを防止すると共に、冷媒配管内の圧力が非常に高くなる前に圧縮機５を停止させる等の処置が可能となり、空気調和機１０の安全性及び信頼性を向上させることができる。
【００４９】
また、空気調和機１０では、初回運転情報記憶部３２に記憶された初回運転情報が「初回運転なし」を示す場合に限って、圧縮機運転開始時において圧縮機５の運転周波数及び入力電流値が制限され、初回運転情報が「初回運転あり」を示す場合には、既に室外機３の閉鎖弁の開け忘れ等の不具合の有無が検知されているので、圧縮機の運転は通常の制御で開始される。従って、初回運転情報が「初回運転あり」を示す場合においても、圧縮機運転開始時において圧縮機５の運転周波数及び入力電流値が制限される場合と比較し、室内温度が予め設定された目標温度に早く到達するようになり、空気調和機の快適性を向上させることができる。
【００５０】
また、圧縮機運転開始時から所定時間が経過するまで圧縮機５が停止しなかった場合は、室外機３の閉鎖弁の開け忘れ等の不具合が発生しておらず、次の起動時には圧縮機５の運転周波数及び入力電流値を制限する必要はないので、初回運転情報が「初回運転あり」に変更される。一方、圧縮機運転開始時から所定時間が経過するまでに圧縮機５が停止した場合は、次の起動時には、再度、圧縮機５の運転周波数及び入力電流値を制限する必要があるので、初回運転情報が「初回運転なし」に維持される。
【００５１】
また、室外機３に冷媒を回収するための冷媒回収運転が行われた場合には、空気調和機１０が出荷または移設された後で、再度、空気調和機１０の据え付けが行われることになる。従って、出荷後または移設先での据え付け後の最初に行われる初回運転では、室外機３の閉鎖弁の開け忘れ等の不具合が発生することがあり、再度、圧縮機５の運転周波数及び入力電流値を制限する必要があるので、初回運転情報が「初回運転なし」に維持される。
【００５２】
以上、本発明の実施の形態について図面に基づいて説明したが、具体的な構成は、これらの実施の形態に限られるものではなく、発明の要旨を逸脱しない範囲で変更可能である。
【００５３】
上述の実施の形態では、初回運転における制限値として、液側閉鎖弁８ａの開け忘れ対応として、圧縮機運転開始時から第１所定時間が経過するまで圧縮機５の運転周波数の上限値が設定され、ガス側閉鎖弁９ａの開け忘れ対応として、圧縮機運転開始時から第２所定時間が経過するまで圧縮機５の入力電流値の上限値が設定されているが、圧縮機５の運転周波数の制限が行われる第１所定時間及び第２所定時間は、各種運転諸条件に基づく計算値に設定してもよいし、互いに異なる複数の制限値を設定し、それらのそれぞれに時間を設定してもよい。
【産業上の利用可能性】
【００５４】
本発明を利用すれば、空気調和が適正に行われないのを防止すると共に、空気調和機の安全性及び信頼性を向上させることができる。
【図面の簡単な説明】
【００５５】
【図１】本発明の実施の形態に係る空気調和機の冷媒回路図である。
【図２】図１の空気調和機の制御ユニットの構成を示すブロック図である。
【図３】図１の空気調和機において初回運転が行われる際の動作手順を示すフローチャートである。
【図４】図１の空気調和機において初回運転が行われる際の他の動作手順を示すフローチャートである。
【符号の説明】
【００５６】
１  室内機
２  室内熱交換器
３  室外機
４  室外熱交換器
５  圧縮機
８  液側接続配管
８ａ  液側閉鎖弁
９  ガス側接続配管
９ａ  ガス側閉鎖弁